(57)【特許請求の範囲】
【請求項１】
毛髪化粧料を収容する容器と、容器内の毛髪化粧料を吐出する櫛歯部からなる毛髪化粧料塗布用具であって、
櫛歯部において板状櫛歯が該板状櫛歯の厚み方向に複数列設されてなり、
毛髪化粧料の塗布時に、板状櫛歯の側面を下面として櫛歯部が被塗布面上で板状櫛歯の長手方向に動かされ、
毛髪化粧料の塗布時の板状櫛歯の下面に対して容器が傾いており、
板状櫛歯の基部において隣り合う板状櫛歯同士の間が、毛髪化粧料の塗布時に櫛歯部が板状櫛歯の長手方向に動かされている間中、被塗布面側を向く斜面に形成されている毛髪化粧料塗布用具。
【請求項２】
板状櫛歯が内部に毛髪化粧料の通液路を有し、毛髪化粧料の吐出孔として、前記通液路の開口端が隣り合う板状櫛歯の対向面に設けられている請求項１記載の毛髪化粧料塗布用具。
【請求項３】
板状櫛歯の先端部に突出部が形成され、その突出部近傍に毛髪化粧料の吐出孔が形成されている請求項１又は２記載の毛髪化粧料塗布用具。
【請求項４】
前記毛髪化粧料塗布用具で毛髪化粧料を塗布する時に被塗布面側となる板状櫛歯の縁部にリムが設けられている請求項１〜３のいずれかに記載の毛髪化粧料塗布用具。
【請求項５】
前記毛髪化粧料塗布用具で毛髪化粧料を塗布する時に被塗布面側となる板状櫛歯の縁辺と毛髪化粧料の吐出孔との距離が、該縁辺に対向する板状櫛歯の他辺との距離よりも短い請求項２〜４のいずれかに記載の毛髪化粧料塗布用具。
【請求項６】
前記毛髪化粧料塗布用具で毛髪化粧料を塗布する時に被塗布面と反対側となる、板状櫛歯の基部上面において、隣り合う板状櫛歯同士の間がＶ字状に切り込まれ、前記斜面が、隣り合う板状櫛歯同士の間に２つ形成されている請求項１〜５のいずれかに記載の毛髪化粧料塗布用具。
【発明の詳細な説明】
【０００１】
【発明の属する技術分野】
本発明は、染毛剤やスタイリング剤等の毛髪化粧料の塗布用具であって、毛髪化粧料を収容する容器と、毛髪化粧料を塗布する櫛歯部とを一体化させた毛髪化粧料塗布用具に関する。
【０００２】
【従来の技術】
従来、染毛剤（ヘアカラー、ヘアマニュキュア等）やスタイリング剤等の毛髪化粧料を毛髪に塗布する塗布用具として、図７に示すように、毛髪化粧料を収容するスクイズ容器２と、毛髪化粧料を塗布する櫛歯部３とを一体化させた毛髪化粧料塗布用具１が知られている。
【０００３】
この毛髪化粧料塗布用具１の櫛歯部３では、先端部に突出部５を有する板状櫛歯４が、その板状櫛歯４の厚み方向に複数列設されている。図８は、櫛歯部３の部分上面図（同図ａ）及び側面図（同図ｂ）である。図８に示すように、各板状櫛歯４の内部には、毛髪化粧料の通液路６が形成され、各板状櫛歯４の互いに対向する面に、通液路６の開口端が毛髪化粧料の吐出孔７として設けられている。また、隣り合う板状櫛歯４の基部９同士は連続している。
【０００４】
図９に示すように、板状櫛歯４の基部９の一端が着脱自在に連結具１０に嵌合する。また、図７に示したように、連結具１０の、板状櫛歯４と反対側の端部１０ａがスクイズ容器２の開口部２ａに螺合する。連結具１０の内部には、スクイズ容器２の開口部２ａから吐出された毛髪化粧料を、各板状櫛歯４内の通液路６に導出するための複数の分岐した通液路が形成されており（図示せず）、その通液路の開口端１１が、板状櫛歯４内の通液路６の基部９側の開口端８と連結する。
【０００５】
この毛髪化粧料塗布用具１を用いて毛髪化粧料を毛髪に塗布する場合には、まず、スクイズ容器２を上側にして、櫛歯部３を毛髪化粧料の被塗布面（即ち、頭皮）に当て、スクイズ容器２を押圧して吐出孔７から毛髪化粧料を吐出させつつ、図１０の矢印Ａで示す方向に毛髪化粧料塗布用具１を動かして毛髪Ｈをすくようにとかす。これにより、毛髪化粧料の塗布時に、その毛髪化粧料とは別に櫛あるいはブラシ等を用意することが不要となり、簡便に毛髪化粧料を毛髪に塗布することができる。
【０００６】
【発明が解決しようとする課題】
しかしながら、上述の毛髪化粧料塗布用具１を用いて毛髪化粧料を塗布すると、図１０に示したように、毛髪化粧料塗布用具１を矢印Ａの方向に動かすことによって、吐出孔７から吐出された毛髪化粧料Ｘが基部９の側面９ａで押され、矢印Ｂのように上方へ押し上げられる。そのため、毛髪化粧料Ｘを毛髪Ｈの根元にまでいきとどかせることができないという問題が生じる。例えば、毛髪化粧料Ｘとして白髪染めを用い、白髪を黒く染毛しようとしても、最も白髪が目立つ根元や生えぎわに染めの残りが生じやすくなる。
【０００７】
このような問題に対し、本発明は、毛髪化粧料を収容する容器と、容器内の毛髪化粧料を吐出する櫛歯部からなる毛髪化粧料塗布用具において、毛髪の根元や生えぎわまで確実に毛髪化粧料を塗布できるようにすることを目的とする。
【０００８】
【課題を解決するための手段】
本発明者は、上記の目的を達成するためには、図１０のように毛髪化粧料塗布用具１を用いて毛髪化粧料Ｘを毛髪Ｈに塗布する際に、吐出孔７から吐出された毛髪化粧料Ｘが基部９の側面９ａで押された後、被塗布面Ｓ側に押しつけられるように、毛髪化粧料Ｘの流れを方向づけることが有効であり、そのためには側面９ａを、被塗布面Ｓ側を向く斜面に形成すればよいことを見出した。
【０００９】
即ち、本発明は、毛髪化粧料を収容する容器と、容器内の毛髪化粧料を吐出する櫛歯部からなる毛髪化粧料塗布用具であって、
櫛歯部において板状櫛歯が該板状櫛歯の厚み方向に複数列設されてなり、
毛髪化粧料の塗布時に、板状櫛歯の厚みをなす側面を下面として櫛歯部が被塗布面上で板状櫛歯の長手方向に動かされ、
毛髪化粧料の塗布時の板状櫛歯の下面に対して容器が傾いており、
板状櫛歯の基部において隣り合う板状櫛歯同士の間に、毛髪化粧料の塗布時に櫛歯部が板状櫛歯の長手方向に動かされている間中、被塗布面側を向く斜面が形成されており、好ましくは、板状櫛歯はその内部に毛髪化粧料の通液路を有し、隣り合う板状櫛歯の対向面に毛髪化粧料の吐出孔が設けられている毛髪化粧料塗布用具を提供する。
【００１０】
【発明の実施の形態】
以下、図面を参照しつつ、本発明を詳細に説明する。なお、各図中、同一符号は、同一又は同等の構成要素を表している。
【００１１】
図１は、本発明の一態様の毛髪化粧料塗布用具１Ａの斜視図である。この毛髪化粧料塗布用具１Ａは、図７〜図９に示した従来の毛髪化粧料塗布用具１と同様に、毛髪化粧料を収容するスクイズ容器２と、毛髪化粧料を塗布する櫛歯部３からなり、櫛歯部３では、先端部に突出部５を有する板状櫛歯４が、その板状櫛歯４の厚み方向に複数列設されている。
【００１２】
櫛歯部３は、板状櫛歯４の基部９の一端が着脱自在に連結具１０に嵌合し（図２）、板状櫛歯４の内部には毛髪化粧料の通液路６が形成され、その通液路６の開口端である吐出孔７が、各板状櫛歯４の互いに対向する面に設けられている（図３）。
【００１３】
なお、本発明において、板状櫛歯とは、その厚みに比べて面積が十分に大きい平板状の櫛歯をいう。
【００１４】
この毛髪化粧料塗布１Ａでは、図１〜図３に示すように、板状櫛歯４の基部９において隣り合う板状櫛歯４同士の間に、毛髪化粧料Ｘの塗布時に被塗布面Ｓ側を向く斜面１２が形成されていることを特徴としている。したがって、図４に示すように、この毛髪化粧料塗布用具１Ａを用いて毛髪化粧料Ｘを毛髪Ｈに塗布する際に、毛髪化粧料塗布用具１Ａを矢印Ａの方向に動かすと、吐出孔７から吐出された毛髪化粧料Ｘが、板状櫛歯４の基部９の斜面１２で矢印Ｂのように被塗布面Ｓ側へ押され、毛髪Ｈの根元の方へ方向づけられる。したがって、この毛髪化粧料塗布用具１Ａによれば、毛髪の根元まで良好に毛髪化粧料Ｘを塗布することが可能となる。
【００１５】
ここで斜面１２の傾斜角θは、図３に示すように、斜面１２と板状櫛歯４の下面４ｂとで挟まれる角（即ち、毛髪化粧料Ｘの塗布時の被塗布面Ｓと斜面１２とがなす角）として、２０°〜７０°が好ましく、３０°〜６０°がより好ましい。傾斜角θが大きすぎると、毛髪化粧料の塗布時に毛髪化粧料の流れを被塗布面Ｓの方向へ方向づけることが困難となり、反対に傾斜角θが小さすぎると、結果的に櫛歯部３の上面での板状櫛歯４の櫛歯長Ｌ1が短くなるので（図３（ａ））、板状櫛歯４で毛髪をすきにくくなる。
【００１６】
また、板状櫛歯４の先端部の突出部５は、櫛通りを向上させるために設けられているが、毛髪化粧料の吐出孔７は、毛髪化粧料を生えぎわやこめかみ、耳周り等の短い毛髪に塗布する場合、あるいは毛髪の根元への塗布をさらに容易にするため、突出部５の近傍に設けることが好ましい。
【００１７】
毛髪化粧料を収容する容器２は、板状櫛歯４の下面４ｂに対して、０°〜９０°傾いていることが好ましく、３０°〜６０°がより好ましい。このように容器２を傾けることにより板状櫛歯４を被塗布面Ｓに密着させて使用した場合にも、容器２が邪魔にならずに毛髪化粧料を塗布することができる。
【００１８】
図５は、本発明の異なる態様の毛髪化粧料塗布用具１Ｂの櫛歯部３の斜視図（ａ）、側面図（ｂ）及び正面図（ｃ）である。この毛髪化粧料塗布用具１Ｂは、上述の本発明の毛髪化粧料塗布用具１Ａにおいて、毛髪化粧料の塗布時に被塗布面Ｓ側になる板状櫛歯４の縁部にリム１３が段付けされて設けられ、また、毛髪化粧料の塗布時に毛髪化粧料の被塗布面Ｓ側になる板状櫛歯４の縁辺と毛髪化粧料の吐出孔７との距離Ｌ2が、該縁辺に対向する板状櫛歯の他辺との距離Ｌ3よりも短くなっている点（即ち、吐出孔７が、毛髪化粧料の被塗布面Ｓ側の板状櫛歯４の縁辺に近づけられている点）が異なっている。
【００１９】
このようにリム１３を設けることにより、毛髪化粧料の塗布時に毛髪化粧料Ｘが隣り合う板状櫛歯４の間に保持されやすくなる。したがって、過度に毛髪化粧料Ｘが被塗布面Ｓに流れることを防止できる。これにより、例えば、毛髪化粧料として染毛剤を使用する場合に、地肌が染毛剤で不要に染まることを防止できる。
【００２０】
また、吐出孔７を、毛髪化粧料の被塗布面Ｓ側の板状櫛歯４の縁辺に近づけることにより、より毛髪の根元に毛髪化粧料をいきとどかせることが可能となる。
【００２１】
図６は、さらに異なる本発明の毛髪化粧料塗布用具１Ｃの櫛歯部３の斜視図（ａ）、櫛歯部３の部分拡大図（ｂ）及び正面図（ｃ）である。この毛髪化粧料塗布用具１Ｃでは、毛髪化粧料を塗布する時に被塗布面Ｓと反対側となる、板状櫛歯４の基部９上面（即ち被塗布面と反対側の面）において、隣り合う板状櫛歯４同士の間をＶ字状に切り込み、隣り合う板状櫛歯４同士の間に２つの斜面１２ａ、１２ｂを形成したものである。これにより、この櫛歯部３で毛髪をすく場合の櫛通りを大きく向上させることができる。
【００２２】
本発明は、以上図示した態様の他にも、板状櫛歯の基部において隣り合う板状櫛歯同士の間に、毛髪化粧料の塗布時に毛髪化粧料の被塗布面側を向く斜面が形成されている限り、種々の態様をとることができる。例えば、図５に示した毛髪化粧料塗布用具１Ｂの板状櫛歯４の基部９上面において、図６に示したように、隣り合う板状櫛歯４同士の間をＶ字状に切り込み、隣り合う板状櫛歯４同士の間に２つの斜面（１２ａ、１２ｂ）を形成してもよい。
【００２３】
また、図示した態様では、いずれも吐出孔７が、隣り合う板状櫛歯４の対向面にあって、突出部５の近傍に設けられているが、毛髪化粧料が板状櫛歯４の間に保持される限り、毛髪化粧料の容器２からの吐出方法や、吐出孔７の形成位置に限定はない。例えば、板状櫛歯４の基底部に吐出孔７を設けてもよく、その場合は、板状櫛歯４の側面に溝を形成し、その溝を通して毛髪化粧料を板状櫛歯４の突出部５に誘導してもよい。
【００２４】
本発明の毛髪化粧料塗布用具を用いて塗布する毛髪化粧料の種類は、通液路を通して吐出孔から吐出させることができる程度の粘度の液状化粧料であれば、特に限定されず、本発明の毛髪化粧料塗布用具は、種々のヘアカラー、ヘアマニュキュア等の染毛剤やスタイリング剤等の毛髪への塗布に使用することができる。
【００２５】
【発明の効果】
本発明によれば、毛髪化粧料を収容する容器と、容器内の毛髪化粧料を吐出する櫛歯部からなる毛髪化粧料塗布用具において、毛髪の根元や生えぎわまで確実に毛髪化粧料を塗布することが可能となる。
【図面の簡単な説明】
【図１】  本発明の毛髪化粧料塗布用具の斜視図である。
【図２】  櫛歯部と連結具との嵌合状態の説明図である。
【図３】  櫛歯部の部分上面図（同図ａ）、側面図（同図ｂ）、底面図（同図ｃ）、正面図（ｄ）である。
【図４】  本発明の毛髪化粧料塗布用具の作用の説明図である。
【図５】  櫛歯部の斜視図（同図ａ）、側面図（同図ｂ）及び正面図（同図ｃ）である。
【図６】  櫛歯部の斜視図（同図ａ）、部分拡大図（同図ｂ）及び正面図（同図ｃ）である。
【図７】  従来の毛髪化粧料塗布用具の斜視図である。
【図８】  櫛歯部の部分上面図（同図ａ）及び側面図（同図ｂ）である。
【図９】  櫛歯部と連結具との嵌合状態の説明図である。
【図１０】  従来の毛髪化粧料塗布用具の作用の説明図である。
【符号の説明】
１Ａ、１Ｂ、１Ｃ  本発明の毛髪化粧料塗布用具
２    スクイズ容器
３    櫛歯部
４    板状櫛歯
５    突出部
６    通液路
７    吐出孔
９    基部
９ａ  基部の側面
１０    連結具
１１    通液路の開口端
１２    斜面
１３    リム
Ｈ    毛髪
Ｓ    被塗布面
Ｘ    毛髪化粧料
【図１】
0004090182.tif 000002
【図２】
0004090182.tif 000003
【図３】
0004090182.tif 000004
【図４】
0004090182.tif 000005
【図５】
0004090182.tif 000006
【図６】
0004090182.tif 000007
【図７】
0004090182.tif 000008
【図８】
0004090182.tif 000009
【図９】
0004090182.tif 000010
【図１０】
0004090182.tif 000011